(57)【特許請求の範囲】
【請求項１】
人の背側腰部に装着可能で内部にポンプ（１９）及び当該ポンプ（１９）を駆動する動力源（２０）を内蔵した剛直な容器（３）と、人の背部に背負われる柔軟な水袋（２）と、水袋（２）内の水を前記ポンプ（１９）を介して放液する放液具（４）とよりなり、人が前記水袋（２）を背負った状態において、当該水袋（２）の下部が前記容器（３）に当接して支持されるようになっていることを特徴とする、可搬式放液装置
【請求項２】
前記水袋（２）の内側にその内部空間を左右に仕切る柔軟な仕切り壁（１５）を形成し、当該仕切り壁（１５）が上部が広く下部が狭いテーパー状をなしていることを特徴とする、請求項１に記載の可搬式放液装置
【請求項３】
前記水袋（２）の上部に細幅部（８）を延設し、当該細幅部（８）の上端に注入口（９）を形成すると共に、その細幅部（８）をコイル状に巻いた状態で注入口（９）を閉じるようにしたことを特徴とする、請求項１に記載の可搬式放液装置
【発明の詳細な説明】
【０００１】
【発明の属する技術分野】
本発明は可搬式放液装置に関するものであって、特に消防士が水を入れた水袋を背中に背負い、小型のポンプで水袋内の水を放水して消火する形式の可搬式消火装置に関するものである。
【０００２】
この種の可搬式消火装置は、人が水を運ぶものであるため収容する水の量は限られており、その消火能力は必ずしも大きいものではないが、山火事などの残火処理の際には広く使用され、威力を発揮している。
【０００３】
【従来の技術】
従来この種の可搬式消火装置としては、水袋に入れた水を手動式のポンプで放水するものが広く使用されている。また実公平２−４６９２号公報には、動力駆動のポンプにより放水するものが記載されている。
【０００４】
【発明が解決しようとする課題】
しかしながらこの種の可搬式消火装置においては、多量の水を入れた水袋を人が背負って、道のない急な斜面を山火事の現場まで移動しなければならないのであり、その労力は極めて多大であった。
【０００５】
手動式のポンプを使用するものにあっては、山火事の現場まで移動した後そこでポンプを操作して消火活動を行わなければならず、また動力駆動のポンプを使用するものにあっては、水袋の重量にポンプやそれを駆動するエンジンの重量が加わり、運搬の労力がさらに多大となる。
【０００６】
また一般に人が背中に荷物を背負うときには、その荷物の重心が高く且つ人の背中に近くなるように背負い、さらにその荷物の重量を腰で支えるようにすることにより、楽に背負うことができるとされている。
【０００７】
然るに水袋に水を入れると、水の重量により水袋が変形して下脹れの状態となり、重心が低く且つ後ろ寄りとなる。しかも形状の安定しない水袋を腰で支えるのは困難であるので、水の重量の大部分が肩にかかることとなり、これを背負った消防士には極めて重く感じられる。
【０００８】
また前記実公平２−４６９２号公報に示された装置では、重いポンプやエンジンが水袋の下部後方に設けられており、それらの重量がさらに肩を後下方に引くこととなるため、これを背負った消防士にとっては、ポンプやエンジンの重量増加以上に重く感じられる構造である。
【０００９】
また前記公報に示された装置のように、消防士の腰の後方にポンプやエンジンなどの機械部分が突出した構造を採ると、この装置を背負って藪などの中を進むときには、木の枝などが機械部分に引っ掛かって行動の自由が損なわれ、極めて危険である。
【００１０】
本発明はかかる事情に鑑みなされたものであって、消防士が背負ったときにその重量が肩と腰とに適度に分散され、極めて背負いやすく且つ行動しやすい可搬式消火装置を提供することを目的とするものである。
【００１１】
【課題を解決するための手段】
而して本発明は、人の背側腰部に装着可能で内部にポンプ及び当該ポンプを駆動する動力源を内蔵した剛直な容器と、人の背部に背負われる柔軟な水袋と、水袋内の水を前記ポンプを介して放液する放液具とよりなり、人が前記水袋を背負った状態において、当該水袋の下部が前記容器に当接して支持されるようになっていることを特徴とするものである。
【００１２】
本発明においては、前記水袋の内側にその内部空間を左右に仕切る柔軟な仕切り壁を形成し、当該仕切り壁が上部が広く下部が狭いテーパー状をなしたものとすることが好ましい。
【００１３】
さらに本発明においては、前記水袋の上部に細幅部を延設し、当該細幅部の上端に注入口を形成すると共に、その細幅部をコイル状に巻いた状態で注入口を閉じるようにするのが好ましい。
【００１４】
【発明の実施の形態】
図面は本発明の可搬式消火装置１の実施の一形態を示すものであって、２は水を収容する水袋であり、３はポンプ及び動力源を内蔵した容器であり、４は水袋２内の水を放水する放水具である。
【００１５】
水袋２は図３及び図４に示されるように、柔軟なターポリンなどの水密性の材料よりなる袋体５よりなり、前面上部中央部から背面下部両側部にかけて背負い紐６が取り付けられている。
【００１６】
袋体５は、二枚のシート７ａ，７ｂを重ねてその周縁を接合して袋状に成形されており、その袋体５の上部には上方に延びる細幅部８が一体に延設され、その上端部は開放されて注入口９を形成している。また袋体５の背側下部には、水の注出口１６が形成されている。
【００１７】
注入口９は図３（ｂ）に示されるように、細幅部８を形成する前側のシート７ｂが背側のシート７ａよりも長く延設されて延長部１０を形成しており、その延長部１０及び背側のシート７ａの上端には、それぞれ背面にゴム磁石板１１が貼着されている。
【００１８】
延長部１０のゴム磁石板１１は、背側のシート７ａの上端より上方に、シート７ａ及びゴム磁石板１１の厚みに相当する間隔をおいて設けられており、その間隔部の両側縁にはシール材１２が取り付けられている。
【００１９】
而して両シート７ａ，７ｂの間を開いてそこに形成される注入口９から袋体５内に水を注入した後、前記延長部１０を背側に折り曲げ、ゴム磁石板１１を互いに重ねて吸着させて、注入口９を閉じる。このときシール材１２は、注入口９の側縁からの漏水を防止する。
【００２０】
そして図３（ａ）に示すように、吸着したゴム磁石板１１を芯として細幅部８のシート７ａ，７ｂをコイル状に巻回し、袋体５の前側上部に両端を固定されたゴムバンド１３をコイル状に巻回した細幅部８の上に掛け回し、袋体５の背側上部に取り付けられたフック１４に引っ掛け、そのゴムバンド１３でコイル状に巻回した細幅部８を押えて保持する。
【００２１】
また袋体５の内側には、当該袋体５内の空所を左右に仕切る仕切り壁１５が設けられている。この仕切り壁１５はシート７ａ，７ｂと同様の柔軟な素材よりなり、前部と背部のシート７ａ，７ｂを連結しており、袋体５内が空のときは袋体５内で折り畳まれている。
【００２２】
またこの仕切り壁１５は、この例においては図４に示されるように二つ設けられており、袋体５内の空所を三つに仕切っているが、これは一つであってもよく、また三つ以上の多数設けられていてもよい。
【００２３】
而してこの例においては、仕切り壁１５は図３（ａ）に示すように、上部が広く下部が狭いテーパー状をなしている。袋体５は柔軟であるため、内部に水を入れたときに下部が水圧で膨らみ、下脹れの状態となりやすい。そこで仕切り壁１５を前述のようなテーパー状にすることにより、シート７ａ，７ｂの間隔を下部において狭く上部において広くなるように拘束し、袋体５が内部の水の圧力により下脹れになるのを防止して、全体に亙って袋体５の厚みが均等になるようにすることができる。
【００２４】
容器３は、金属製などの剛直な箱体であって、ベルト１７に対して取り付け具１８により取り付けられており、そのベルト１７を消防士が腰に巻いて装着するようになっている。また消防士が着用した腰ベルトに容器３を結合して装着するようにしてもよい。
【００２５】
そしてその容器３内には、ポンプ１９及びそのポンプ１９の動力源としてのモーター２０並びに、そのモーター２０を駆動する電源となる乾電池２１が収容されている。
【００２６】
なおポンプ１９の動力源として、小型のエンジンを使用することもできるが、内燃機関のエンジンでは始動停止が困難であると共に、火災現場に燃料としての可燃物を持ち込むことになるので、ポンプ１９の動力源としては電動モーターを使用するのが好ましい。またそのモーター２０の電源としては、鉛蓄電池は重く且つ濃硫酸を使用するので危険であり、簡便で容易に交換できる乾電池２１を使用するのが好ましい。
【００２７】
２２はポンプ１９の吸水管であって、ホース２３を介して前記袋体５の注出口１６に着脱可能のコネクター２４に接続されており、コネクター２４を注出口１６に結合して袋体５内の水をポンプ１９で吸引する。
【００２８】
また放水具４は、ポンプ１９の送水口に接続されたホース２５と、当該ホース２５の先端に取り付けられた放水ノズル２６とよりなっており、放水ノズル２６とモーター２０とはホース２５に並設されたケーブル２７により電気的に接続されている。
【００２９】
そして放水ノズル２６に設けられたスイッチ２８を操作することにより、放水ノズル２６内のバルブを開閉すると共に、ケーブル２７を介してモーター２０の駆動停止を制御し、放水をコントロールするようになっている。
【００３０】
而して本発明においては、消防士が容器３を腰の背部に装着し、水袋２を背中に背負った状態で使用するのであるが、この状態において、水袋２の下部が容器３の上面に当接し、水袋２の重量の一部が容器３によって支持されるようになっている。
【００３１】
【作用】
本発明の可搬式消火装置１を使用するには、消防士がベルト１７を腰に巻いて容器３を背中の腰部に装着し、水袋２を背中に背負い、コネクター２４を水袋２の注出口１６に結合する。
【００３２】
この状態で水袋２の注入口９を開き、袋体５内に水を注入する。このとき図３及び図４に示す構造の袋体５であれば、水が細幅部８内に入り込むまで注入するのが好ましい。
【００３３】
然る後延長部１０を図３（ｂ）に鎖線で示すように背側に折り曲げて、ゴム磁石板１１を吸着させて注入口９を閉じる。この状態でさらに図３（ａ）に鎖線で示すように、ゴム磁石板１１を芯として細幅部８をコイル状に巻回し、これをゴムバンド１３で押えて保持する。
【００３４】
このとき細幅部８内にまで水が入り込んでいると、細幅部８をコイル状に巻回したときにその水が袋体５内に押し込まれ、袋体５内の圧力が上昇して袋体５はその上部まで十分に膨らむ。
【００３５】
従って単純に水を注入しただけでは、袋体５は水の重量によって下脹れの状態となりがちであるが、袋体５の上部が膨らむことにより下部に膨らんでいたシート７ａ，７ｂが上方に引き上げられ、下部の膨らみが解消するとともに水はより高い位置に押上げられ、重心が高くなるのである。
【００３６】
さらに図３（ａ）に示すように、仕切り壁１５の形状を上部が広く下部が狭いテーパー状とすることにより、袋体５が下脹れの状態となるのを防止し、重心をより高い位置にすることができる。
【００３７】
そして袋体５に水を満たした状態においては、水袋２の下部が容器３に当接し、その容器３によって水袋２の重量の一部が支持される。従って水袋２に満たした水の重量は、消防士の肩で支持されるとともに、その一部が容器３を介して腰で支持されることとなり、肩と腰とで分散して支えることとなるので、極めて背負いやすく、疲れが少ないものとなる。
【００３８】
而して火災現場に到達したならば、放水ノズル２６を持ってスイッチ２８を操作すると、放水ノズル２６内のバルブが開くとともに、ケーブル２７を介してモーター２０を駆動させ、ポンプ１９が作動して袋体５内の水を給水し、ホース２５を介して放水ノズル２６から放水する。
【００３９】
また消火状況に応じて、スイッチ２８を操作し、バルブを開閉すると共にモーター２０を駆動停止させ、放水ノズル２６からの放水をコントロールしつつ消火活動を行う。水袋２内の水が無くなったならば、基地に戻って先と同様に水袋２内に水を補給し、さらに消火活動を行う。
【００４０】
【発明の効果】
従って本発明によれば、容器３を消防士の腰に装着し、背中に背負った水袋２の重量の一部を容器３を介して消防士の腰で支えるので、肩にかかる負担が大幅に軽減され、水袋２の重量が肩と腰とに分散してかかるので、極めて背負い易く、行動し易い可搬式消火装置１となる。
【００４１】
また請求項２の発明においては、水袋２内にテーパー状の仕切り壁１５を設けているので、水袋２が水の重量によって下脹れとなることがなく、水袋２の重心がより高い位置となり、さらに背負い易いものとなる。
【００４２】
さらに請求項３の発明によれば、袋体５の背側上部に給水口を開口した従来のものとは異り、袋体５の上部まで一杯に水を満たすことができ、上部に空所が形成されることがないので、重心がより高くなると共に、袋体５内で水が揺れ動くことがなく、背負い易いものとなる。
【００４３】
さらに細幅部８にまで水が入り込んだ状態で細幅部８をコイル状に巻くことにより、その水が袋体５内に押し込まれ、袋体５が上部まで十分に膨らむと共にシート７ａ，７ｂが引き上げられて下部の膨らみが解消し、重心がさらに高くなってより背負い易いものとなる。
【００４４】
また本発明によれば、ポンプ１９やモーター２０などの重い部品は容器３に収容され、消防士の背側腰部に密着して装着されるので、その重量は消防士にとってさほど大きな負担となることはない。またそれらの重量はすべて腰部が負担して肩にかかることがないので、水袋２の重量の大きい部分を負担する肩に対する負担が大幅に軽減される。
【００４５】
また容器３は消防士の腰部に密着しており、その上部は大きな水袋２で覆われているので、前記公知例のように機械部分が後方に大きく張り出すことがなく、藪の中などで木の枝などに引っ掛かることもない。
【００４６】
なお本発明は、袋体５内に収容された液体をポンプ１９の作用で放液具４から放出するものであり、前記消火装置として適しているが、その他農薬などの散布や散水などの用途にも使用することができる。
【図面の簡単な説明】
【図１】  本発明の使用状態を示す側面図
【図２】  本発明の使用状態を示す背面図
【図３】  本発明における水袋を示すものであって、（ａ）は中央縦断面図であり、（ｂ）は注入口の拡大中央縦断面図である。
【図４】  本発明における水袋の背面図
【図５】  本発明における容器の中央縦断面図
【符号の説明】
１  可搬式消火装置
２  水袋
３  容器
４  放水具
８  細幅部
９  注入口
１５  仕切り壁
１９  ポンプ
２０  モーター
【図１】
0004387524.tif 000002
【図２】
0004387524.tif 000003
【図３】
0004387524.tif 000004
【図４】
0004387524.tif 000005
【図５】
0004387524.tif 000006